(57)【要約】      （修正有）【課題】袋型根固め工法用袋材において、それを構成する網地が摩擦や衝突から極力回避され保護された、耐久性の優れたものを提供する。【解決手段】中詰め材（廃材、土砂等）を投入して使用する網地１よりなる袋型根固め工法用袋材であって、網地１のストランド部１１を保護するための板状鎧部片２を設けた。また、板状鎧部片２は内側片２１と外側片２２とよりなり、内側片２１と外側片２２が網地１の交差部１２を覆って挟み付けるように取り付けられている。【選択図】図２
2014105452.tif 000002
【特許請求の範囲】
【請求項１】
中詰め材を投入して使用する網地よりなる袋型根固め工法用袋材であって、該網地を保護するための板状鎧部片を設けたことを特徴とする袋型根固め工法用袋材。
【請求項２】
中詰め材を投入して使用する網地よりなる袋型根固め工法用袋材であって、該網地を保護するための板状鎧部片を複数個設けたことを特徴とする袋型根固め工法用袋材。
【請求項３】
板状鎧部片が内側片と外側片とよりなり、該内側片と外側片が網地を覆って挟み付けるように取り付けられていることを特徴とする請求項２記載の袋型根固め工法用袋材。
【請求項４】
内側片と外側片とが嵌め込み部を介して相互に取り付けられていることを特徴とする請求項３記載の袋型根固め工法用袋材。
【請求項５】
内側片と外側片とが固着具を用いて相互に取り付けられていることを特徴とする請求項３記載の袋型根固め工法用袋材。
【請求項６】
嵌め込み部は編地の交点部分を跨いで設けられていることを特徴とする請求項４記載の袋型根固め工法用袋材。
【請求項７】
内側片は屈曲性を有し外側片より面積が大きいことを特徴とする請求項３記載の袋型根固め工法用袋材。
【請求項８】
板状鎧片は、金属、合成樹脂、又は木材より形成されていることを特徴とする請求項１記載の袋型根固め工法用袋材。
【発明の詳細な説明】
【技術分野】
【０００１】
本発明は、網地１よりなる袋型根固め工法用袋材に関し、更に詳しくは、網地が摩擦や衝突より保護される袋型根固め工法用袋材に関するものである。
【背景技術】
【０００２】
現在、海岸、河川、湖、池等での洗堀防止、浸食防止等のために根固め工法（護床保護工、のり覆い工、水制工等の工法等を含む）に袋材が提供されている。
この袋材は、袋型根固め工法用袋材（通称、「ボトルユニット」）といわれ、玉石、割栗石、砕石等の充填材（すなわち中詰め材）を入れた状態で使用される（特許文献１参照）。
施工現場においては、この袋型根固め工法用袋材に中詰材を一定量充填した後、吊り上げて施工対象となる位置に敷設することにより施工が行われる。
【０００３】
図１４は、この袋型根固め工法用袋材を使って施工した河川護岸の従来例を概略的に示す図である。
多数の袋型根固め工法用袋材を、順次吊り上げながら施工面に並べるように配置していく。
【０００４】
袋型根固め工法用袋材を構成する網地は、吊り上げた場合に、袋材の底部に砕石、玉石、割栗石等の中詰材による荷重が加わっても、それに耐えるための十分な強度を備えたものとなっている。
ところで、図に示したように、この袋型根固め工法用袋材は、中詰め材を投入した状態で、多数を整列配置することで一定の広さの広範囲な領域に敷設施工される。
袋型根固め工法用袋材が敷設施工されてこのような状態にあると、内部に詰め込んだ石等の中詰め材が、流水の影響を受けて移動するため、中詰め材と網地との間で摩擦が生じる。
すなわち、石等の中詰め材が網地１のストランド部１１を擦って摩耗させる現象（内方摩耗作用）が発生する。
また他方では河川流水力により転石、流木、ごみ破片等が袋型根固め工法用袋材自体に衝突し、同様に摩擦や潰れが生じる。すなわち、外部の転石が網地のストランド部１１を擦って摩耗させる現象（外方摩耗作用）が発生する。
【０００５】
図１５は、摩耗させる現象を説明する図で、図１５（Ａ）は内方摩耗作用を、また図１５（Ｂ）は外方摩耗作用を示す。
図１５（Ａ）は中詰め材である石Ｓ１がストランド部１１に傷を与え、図１５（Ｂ）は外部からの転石Ｓ２がストランド部１１に傷を与える状態である。
これらが、原因となって施工後の袋型根固め工法用袋材Ａの耐久性が低下して網地１の切断が発生する。
細かい砂が、ストランド部１１とこれら石の間に介在すると更に摩耗を速める結果となる。
上述したことは波力を受ける海でも発生することとなる。
網地１が切断することで、中詰め材が袋の外に飛び出し最終的には施工した護岸に崩れが生じ河川や港湾の護岸機能が発揮できなくなる。
【先行技術文献】
【特許文献】
【０００６】
【特許文献１】特許第４８９０６９６号公報
【発明の概要】
【発明が解決しようとする課題】
【０００７】
本発明は、以上の技術的問題点を背景になされたものである。
すなわち本発明は、袋型根固め工法用袋材Ａにおいて、それを構成する網地１が摩擦や衝突から極力回避され保護された耐久性の優れたものを提供することである。
【課題を解決するための手段】
【０００８】
本発明者等は、上記問題点を解決するため、鋭意研究したところ、袋型根固め工法用袋材の網地に保護材（ここでは板状鎧部材）を設けることで、上述したような内部或いは外部からの摩擦や衝突を極力回避できることを見出し、この知見により本発明を完成させたものである。
【０００９】
すなわち、本発明は、（１）、 中詰め材（廃材、土砂等）を投入して使用する網地１よりなる袋型根固め工法用袋材Ａであって、該網地１を保護するための板状鎧部片２を設けた袋型根固め工法用袋材Ａに存する
【００１０】
すなわち、本発明は、（２）、中詰め材を投入して使用する網地１よりなる袋型根固め工法用袋材Ａであって、該網地１を覆って保護するための板状鎧部片２を複数個設けた袋型根固め工法用袋材Ａ。
【００１１】
すなわち、本発明は、（３）、板状鎧部片２が内側片２１と外側片２２とよりなり、該内側片２１と外側片２２が網地１を覆って挟み付けるように取り付けられている上記（２）記載の袋型根固め工法用袋材に存する。
【００１２】
すなわち、本発明は、（４）、内側片２１と外側片２２とが嵌め込み部を介して相互に取り付けられている上記（３）記載の袋型根固め工法用袋材Ａに存する。
【００１３】
すなわち、本発明は、（５）、内側片２１と外側片２２とが固着具を用いて相互に取り付けられている上記（３）記載の袋型根固め工法用袋材Ａに存する。
【００１４】
すなわち、本発明は、（６）、嵌め込み部は編地の交点部分を跨いで設けられている上記（４）記載の袋型根固め工法用袋材Ａに存する。
【００１５】
すなわち、本発明は、（７）、内側片２１は屈曲性を有し外側片より面積が大きい上記（３）記載の袋型根固め工法用袋材Ａに存する。
【００１６】
すなわち、本発明は、（８）、板状鎧片は、金属、合成樹脂、又は木材より形成されている上記（１）記載の袋型根固め工法用袋材Ａに存する。
【発明の効果】
【００１７】
本発明の袋型根固め工法用袋材Ａは、中詰め材（廃材、土砂等）を投入して使用する網地１よりなる袋型根固め工法用袋材Ａであって、該編地を保護するための板状鎧部片２を設けたものなので、中詰め材がストランド部１１を擦って摩耗させる現象（内方摩耗作用）や外部の転石がストランド部１１を擦って摩耗させる現象（外方摩耗作用）を阻止し、網地１が摩擦や衝突より保護される。
そのため切断されるようなことはなく耐久性の優れたものとなる。
また板状鎧部片２を複数個取り付けることで、編地の適度な屈曲や変形を妨げることがない。
【００１８】
また、板状鎧部片２が内側片２１と外側片２２とよりなり、該内側片２１と外側片２２が網地１を挟み付けるように取り付けられるので、板状鎧部片２自体の網地１に対する取り付けが極めて簡単に行える。
そして、内側片２１と外側片２２との間にある網地１（特にストラップ部）が動ける自由度がある。
また内側片２１と外側片２２とが嵌め込み部を介して相互に取り付けられているので、内側片２１と外側片２２とを単に相互に押し付けることで容易に板状鎧部片２自体の固定ができる。
また嵌め込み部が編地の交点部分を跨いで設けられているので、板状鎧部片２の横方向の移動が極端に生じない。
また内側片２１は屈曲性を有し外側片より面積が大きいので、網地１の歪みに内側片２１が沿うことができ、外側片も内側片２１に取り付け易い。
【図面の簡単な説明】
【００１９】
【図１】図１は、本発明の袋型根固め工法用袋材Ａの全体を概略的に示したものであり、（Ａ）は板状鎧部片２が取り付けられた袋型根固め工法用袋材Ａの吊り上げ状態を示し、（Ｂ）は板状鎧部片２が取り付けられている袋型根固め工法用袋材Ａの地面に置いた状態を示す。
【図２】図２は、板状鎧部片２が取り付けられた袋型根固め工法用袋材Ａの一部を拡大して示す概略図であり、図２（Ａ）は、平面図、図２（Ｂ）はその側面図、図２（Ｃ）はその断面図である。
【図３】図３は、本実施の形態の板状鎧部片の内側片を示し、図３（Ａ）は、その平面図、図３（Ｂ）はその一部断面側面図である。
【図４】図４は、本実施の形態の板状鎧部片の外側片を示し、図４（Ａ）は、その平面図、図４（Ｂ）はその側面図である。
【図５】図５は、板状鎧部片の移動の阻止状態を説明する図であり、図５（Ａ）と図５（Ｂ）はそれぞれ異なった位置での阻止状態を示す。
【図６】図６は、凸部と凹部を混ぜて形成した内側片を示し、図６（Ａ）は、その平面図、図６（Ｂ）はその一部断面側面図である。
【図７】図７は、凸部と凹部を混ぜて形成した外側片を示し、図７（Ａ）は、その平面図、図７（Ｂ）はその一部断面側面図である。
【図８】図８は、板状鎧部片を部分的に設けた袋型根固め工法用袋材を示す概略図であり、図８（Ａ）は、板状鎧部片を袋型根固め工法用袋材の側面中央部に部分的に設けたもの、図８（Ｂ）は、板状鎧部片を袋型根固め工法用袋材の底部から側面に渡って部分的に設けたものを示す。
【図９】図９は、内側片と外側片とを固着具を用いて取り付けた場合を示す一部断面側面図であり、図９（Ａ）は、ボルトナットで固定した例、図９（Ｂ）は、針金で固定した例、図９（Ｃ）は、接着材で固定した例をそれぞれ示す。
【図１０】図１０は、板状鎧部片の内側片を示し、図１０（Ａ）は、その平面図、図１０（Ｂ）はその断面図である。
【図１１】図１１は、板状鎧部片２の外側片を示し、図１1（Ａ）は、その平面図、図１1（Ｂ）はその側面図である。
【図１２】図１２は、屈曲性のある板状鎧部片を使用した例を説明する図であり、図１２（Ａ）は、内側片、図１２（Ｂ）は外側片、及び図１２（Ｃ）は，施工後の袋型根固め工法用袋材の状態を示す。
【図１３】図１３は、屈曲性のある板状鎧部片を使用した別の例を説明する図であり、図１３（Ａ）は、内側片、図１３（Ｂ）は外側片、及び図１３（Ｃ）は，施工後の袋型根固め工法用袋材の状態を示す。
【図１４】図１４は、この袋型根固め工法用袋材を使って施工した河川護岸の従来例を概略的に示す図である。
【図１５】図１５は、摩耗させる現象を説明する図で、図１５（Ａ）は、内方摩耗作用を、また図１５（Ｂ）は、外方摩耗作用を示す。
【発明を実施するための形態】
【００２０】
（第１の実施の形態）
以下、本発明に係る袋型根固め工法用袋材Ａの実施の形態について述べる。
図１は、本発明の袋型根固め工法用袋材Ａの全体を概略的に示したものであり、図１（Ａ）は板状鎧部片２が取り付けられた袋型根固め工法用袋材Ａの吊り上げ状態を示し、図１（Ｂ）は、板状鎧部片２が取り付けられている袋型根固め工法用袋材Ａを地面に置いた状態で示す。
【００２１】
図２は、板状鎧部片２が取り付けられた袋型根固め工法用袋材Ａの一部を拡大して示す概略図であり、図２（Ａ）は平面図、図２（Ｂ）はその側面図、図２（Ｂ）はその断面図である。
本発明に係る袋型根固め工法用袋材Ａは、中詰め材（石材、土砂等）を投入して河川や
海岸等で使用するものである。
具体的には、袋型根固め工法用袋材Ａの口部から中詰め材を投入した後、その口部を縛って封止し、その後、吊り上げて適宜場所に移動し施工する。
この袋型根固め工法用袋材Ａは、基本となる部分は、網地１より形成されており、当該網地１は、通常、矩形、六角形（ハニカム）等の網目Ｍを備えている。
【００２２】
網地１が備える網目Ｍは、ストランド部１１と交差部１２により形成されているが、前述したように、このストランド部１１を構成する糸は他物の衝突による潰れや、摩擦による摩耗に弱い。
中詰め材がストランド部１１を擦って摩耗させる現象（内方摩耗作用）や外部の転石がストランド部１１を擦って摩耗させる現象（外方摩耗作用）が生じ、単に網地を構成する糸の強度を上げる方法では自ずと限界がある。
そのため本発明の袋型根固め工法用袋材Ａでは、敢えて保護部材である板状鎧部片２を設けているのである。  
具体的に網地１を保護するために、その部分を覆うべく板状鎧部片２を設けてストランド部１１を保護する。
板状鎧部片２は網地１に直接、例えば石等が当たらないようにするものであればよいが、表面は平滑な方が好ましい。
またエッジは鋭くなく曲面にしておくことが好ましい。
【００２３】
図３は、本実施の形態の板状鎧部片２の内側片２１を示し、図３（Ａ）は、その平面図、図３（Ｂ）はその一部断面側面図である。
【００２４】
図４は、本実施の形態の板状鎧部片２の外側片２２を示し、図４（Ａ）は、その平面図、図４（Ｂ）はその側面図である。
この板状鎧部片２は、図に示すように、板状の内側片２１と板状の外側片２２とよりなり、これらが嵌合部を介して取り付けられる。
【００２５】
具体的には、内側片２１には、内側片嵌合部である凹部が４カ所に形成されており、該凹部に対応するように外側片２２には、外側片嵌合部である凸部が４カ所に形成されている。
板状鎧部片２を網地に対して取り付けるには、内側片２１と外側片２２とで網地１を挟み付けるようにして相互に押し入れる。
このように凹部と凸部は、それぞれ複数カ所に備えることにより、内側片２１と外側片２２との結合がより確実になる。
【００２６】
また内側片２１の４カ所の凹部は真ん中の交差部１２を囲むようにし、外側片２２の４カ所の凸部も同様である。
そして、内側片２１と外側片２２とで網地１を挟み付けた状態で、これら４つの凹部と４つの凸部を相互に嵌め込んで固定する。
これら凹部と凸部とは、相互に弾圧固定するか、あるいは逆止構造を設けて一旦嵌合したら外れないように永久固定する。
凹部と凸部による固定位置は、交差部１２を跨ぐような位置にあり、そのため板状鎧部片２が横方向にスライドしても交差部１２で引っ掛かるため極端にスライドすることはない。
【００２７】
図５は板状鎧部片２の移動の阻止状態を説明する図であり、図５（Ａ）と図５（Ｂ）はそれぞれ異なった位置での阻止状態を示す。
この場合、嵌合部に交差部１２が当たって横移動が阻止された状態を示す。
ここで上述した内側片２１や外側片２２に設けた内側片嵌合部２１Ａや外側片嵌合部２２Ａの凹或いは凸部は、どちらにどれを設けるかは自由である。例えば、内側片２１に凸部を外側片２２には、凹部を設けても良い。
【００２８】
また、図６のように内側片２１に凸部と凹部を混ぜて形成し、該凸部と凹部に対応するようにして外側片２２には図７のように凹部と凸部とを形成してもよい。
これら凹部と凸部は、それぞれ複数個有することにより、内側片２１と外側片２２との結合がより確実になる。
なお、凹部と凸部とは、弾圧的に固定するようにしてもよいし、或いは永久固定してもよいことは先述した。
いずれにしても内側片２１と外側片２２との間ではストランド部１１が動けるように自由度があることが好ましい。
網地１（詳しくはストランド部１１）は施工中或いは施工後においても交差部１２を基点に角度や形が変わるので、これを許容できることが好ましいのである。
【００２９】
本発明の袋型根固め工法用袋材Ａにおいては、内側片２１により、ストランド部１１と中詰め材との摩擦や衝突が阻止され、上述したように中詰め材がストランド部１１を擦って摩耗させる現象（内方摩耗作用）が生じない。
また外側片２２によって外部の転石がストランド部１１を擦って摩耗させる現象（外方摩耗作用）も生じない。そのため網地の切断が極力回避される。
【００３０】
ここで板状鎧部片２の形状としては、図で示した円形盤状以外にも、矩形板状、角形板状等種々の形状が採用でき、これらを組み合わせて使ってもよい。
【００３１】
また板状鎧部片２の材質としては、金属、合成樹脂（FRP樹脂等）、木材、等が使用されるが、網地１を保護できるものであればよく、摩擦や衝撃等に強いものが好ましい。
また、水流の圧を回避するため板状鎧部片２に水を逃がすための通水孔を設けておくことも可能である。
いずれの場合も石のように表面が粗くなく網地との摩擦を少なくするため平滑な方が好ましい。
本発明の板状鎧部片２は、袋型根固め工法用袋材Ａの全面に設けなくても、少なくとも一部に設けることで、袋型根固め工法用袋材Ａの少なくとも一部が保護される利点がある。
袋型根固め工法用袋材Ａの施工状態によって対応できるものを使うことが好ましい。
【００３２】
図８は、板状鎧部片２を部分的に設けた袋型根固め工法用袋材Ａを示す概略図である。
図８（Ａ）は、板状鎧部片２を袋型根固め工法用袋材Ａの側面中央部に部分的に設けたもの、また図８（Ｂ）は、板状鎧部片２を袋型根固め工法用袋材Ａの底部から側面に渡って部分的に設けたものを示す。
板状鎧部片２は、大きさが小さければ多数必要であり、大きければ少ない数でよい。
しかし、前者の場合、袋型根固め工法用袋材Ａの屈曲、変形に追従し易い利点がある。
【００３３】
（第２の実施の形態）
上述した第１の実施の形態では、板状鎧部片２の内側片２１及び外側片２２自体に取り付けのための嵌合部が設けられており、この嵌合部により両者は固定されるが、しかし嵌合部を設けずに別の独立した固着具によって取り付けても良い。
この第２の実施の形態は、板状鎧部片２の内側片２１と外側片２２とが、別の固着具Ｆによって、取り付けられている例である。
【００３４】
図９は、内側片２１と外側片２２とを固着具Ｆを用いて取り付けた場合を示す一部断面側面図である。
固着具Ｆとしては種々のものが考えられるが、図９（Ａ）は、ボルトナットＦ１で固定した例、図９（Ｂ）は、針金Ｆ２で固定した例、図９（Ｃ）は、接着材Ｆ３で固定した例をそれぞれ示す。
【００３５】
図９（Ａ）の場合は、内側片２１と外側片２２とに、貫通孔Ｈが設けられており、この貫通孔ＨにボルトナットＦ１を通し、内側片２１と外側片２２とを網地すなわちストランド部１１を挟み付けるようにして相互に固定する。
ボルトナットＦ１の固定位置は前述した凹部と凸部の位置でも良いし、自由である。
【００３６】
図９（Ｂ）の場合は、内側片２１と外側片２２とに、貫通孔Ｈが設けられており、この貫通孔Ｈに鉄線、銅線等の針金Ｆ２を通し、内側片２１と外側片２２とを網地すなわちストランド部１１を挟み付けるようにして相互に固定する。
針金Ｆ２としては、代わりにロープを使ってもよい。
これら固着具の取り付け位置は、網地１の交差部１２を跨ぐようにして固定することが好ましい。
【００３７】
図９（Ｃ）の場合は、板状鎧部片２の内側片２１と外側片２２とを、接着剤Ｆ３で直接固定させる。
【００３８】
接着剤Ｆ３で固定する部分の位置は、第１の実施の形態のような箇所でよいが、網地１の交差部１２を跨ぐようにして固定することが好ましい。
接着剤Ｆ３は、その種類を選ぶことにより、網地１自体にも接着可能であるので、内側片２１或いは外側片２２を網地１のストランド部１１や交差部１２に直接に接着固定することもできる。
以上、本発明を説明したが、本発明はこれに限定されるものではい。
例えば、内側片２１と外側片２２との嵌め込み部を介した取り付けは、バヨネット結合によるものとすることができる。
【００３９】
図１０は、板状鎧部片２の内側片２１を示し、図１０（Ａ）は、その平面図、図１０（Ｂ）はその断面図である。
【００４０】
また図１１は、板状鎧部片２の外側片２２を示し、図１１（Ａ）は、その平面図、図１１（Ｂ）はその側面図である。
一方の内側片２１に形成された弧状溝Ｐに他方の外側片２２に形成された一対の突起部Ｔを押し入れて一定角度回転させて締め込む。
ストランド部を強く挟み込むのを避けるには、間隙保持ボス（図省略）を内側片２１或いは外側片２２に設けておけばよい。
他にも板状鎧部片２は硬質のものでなくても、網地１を覆って石の摩擦や衝突を防止できれば、屈曲性のあるものでも採用可能である。
屈曲性のある板状鎧部片２を使うことで網地１の歪みにも追従できる。
【００４１】
例えば、図１２は、屈曲性のある板状鎧部片２を使用した例を説明する図であり、図１２（Ａ）は、内側片２１、図１２（Ｂ）は、外側片２２、及び図１２（Ｃ）は、施工後の袋型根固め工法用袋材の状態を示す。
この板状鎧部片２においては、内側片２１や外側片２２は矩形で屈曲性を有し、内側片２１が外側片２２より面積が大きくなっている。
【００４２】
内側片２１を袋内にセットして石を中詰めし、施工後に外側片２２を袋を挟み付けるようにして内側片２１に取り付ける。
施工後に袋が歪んでも内側片２１はそれに沿って馴染むように屈曲しているので、その内側片２１に合わせるようにして、外側片２２を取り付けることができる。
【００４３】
また、図１３も屈曲性のある板状鎧部片２を使用した別の例を説明する図であり、図１３（Ａ）は、内側片２１、図１３（Ｂ）は、外側片２２、及び図１３（Ｃ）は，施工後の袋型根固め工法用袋材の状態を示す。
この板状鎧部片２においては、内側片２１が上下に波状の突起を有する形をしたもので、施工後、これに矩形の外側片２２を取り付ける。
図の場合、外側片２２は内側片２１の上半分の形状となっている。
上述したように板状鎧部片２である内側片２１や外側片２２においては、水流の圧を回避するため通水孔を設けておくことも可能である。
【産業上の利用可能性】
【００４４】
本発明の網地１よりなる袋型根固め工法用袋材Ａは、該網地１を保護するための板状鎧部片２を複数個設けたものなので、網地１自体が摩擦や衝突から保護されて耐久性が向上する利点がある。
そのため、河川、海岸等に使用される網地１よりなる土木資材にも広く利用できるものである。
【符号の説明】
【００４５】
１…網地
１１…ストランド部
１２…交差部
２…板状鎧部片
２１…内側片
２１Ａ…内側片嵌合部（凹部、凸部）
２２…外側片
２２Ａ…内側片嵌合部（凹部、凸部）
Ａ…袋型根固め工法用袋材
Ｆ…固着具
Ｆ１…ボルトナット
Ｆ２…針金
Ｆ３…接着剤
Ｈ…貫通孔
Ｍ…網目
Ｐ…弧状溝
Ｓ１…石（中詰め材）
Ｓ２…転石
Ｔ…突起
【図１】
2014105452.tif 000003
【図２】
2014105452.tif 000004
【図３】
2014105452.tif 000005
【図４】
2014105452.tif 000006
【図５】
2014105452.tif 000007
【図６】
2014105452.tif 000008
【図７】
2014105452.tif 000009
【図８】
2014105452.tif 000010
【図９】
2014105452.tif 000011
【図１０】
2014105452.tif 000012
【図１１】
2014105452.tif 000013
【図１２】
2014105452.tif 000014
【図１３】
2014105452.tif 000015
【図１４】
2014105452.tif 000016
【図１５】
2014105452.tif 000017